(57)【要約】【課題】ＣＭの視聴を避けるため切り換えられた別のチャンネルから元のチャンネルに戻す時間をユーザ操作で設定できるようにし、その時間が経過したときに元のチャンネルに自動的に戻すことができる映像音声出力装置を提供する。【解決手段】現在視聴中のテレビ番組にコマーシャルが入ったときに、現在設定されているチャンネルを示すチャンネルキーまたはチャンネル切換専用キーが押下されたとき、タイマのカウントダウンが実行中でなければ、現在設定されているチャンネルの番号がメモリに記憶され、カウント値は３０秒に設定される。また、前記実行中であれば、カウント値に３０秒追加される。そして、タイマがカウントダウンされ、カウント値が０になったことが検出されたとき、別のチャンネルに切り換えられている場合には、メモリに記憶されている現在設定されているチャンネルの番号に対応する元のチャンネルに戻される。【選択図】図３
2008301397.tif 000002
【特許請求の範囲】
【請求項１】
テレビ放送信号を受信して選局されたチャンネルのテレビ番組の映像音声信号を出力するチューナと、前記チューナから出力された映像音声信号を復調して映像信号および音声信号を出力する信号処理部とを備えると共に、リモコンにより操作可能な映像音声出力装置において、
現在視聴中のテレビ番組にコマーシャルが入ったときに、一時的に別のチャンネルに切り換え、所定時間経過後に元のチャンネルに戻す処理を実行させる場合に、
現在設定されているチャンネルを示すリモコンのチャンネルキーまたはリモコンに設けられたチャンネル切換専用キーが押下されたか否かを判定するキー押下判定手段と、
前記現在設定されているチャンネルを示すリモコンのチャンネルキーまたは前記チャンネル切換専用キーが押下されたと判定されたとき、タイマのカウントダウンが実行中であるか否かを判定するタイマ動作判定手段と、
前記タイマのカウントダウンが実行中でないと判定されたとき、現在設定されているチャンネルの番号をメモリに記憶させるチャンネル番号記憶手段と、
前記現在設定されているチャンネルの番号がメモリに記憶された後、タイマのカウント値を所定の単位時間に設定するカウンタ値設定手段と、
前記カウント値が所定の単位時間に設定された後、前記タイマをカウントダウンさせるカウント制御手段と、
前記タイマのカウントダウンが実行中であると判定されたとき、前記カウントダウンされているカウント値に所定の単位時間を追加させるカウント値追加手段と、
前記カウントダウンによりカウント値が０になったことを検出したとき、別のチャンネルに切り換えられている場合に、前記チューナを制御して前記メモリに記憶されている前記現在設定されているチャンネルの番号に対応する元のチャンネルに戻すチャンネル戻し手段と、を備えたことを特徴とする映像音声出力装置。
【請求項２】
前記所定の単位時間とは、コマーシャルの単位時間であることを特徴とする請求項１に記載の映像音声出力装置。
【請求項３】
前記コマーシャルの単位時間は３０秒であることを特徴とする請求項２に記載の映像音声出力装置。
【請求項４】
前記カウントダウンされるカウント値を前記ディスプレイ装置に表示させるカウント値表示手段を備えたことを特徴とする請求項１に記載の映像音声出力装置。
【発明の詳細な説明】
【技術分野】
【０００１】
本発明は、テレビジョン受像機、あるいはチューナを備えテレビ番組を記録／再生できるハードディスクレコーダやＤＶＤレコーダなどの映像音声出力装置に関し、特に、コマーシャル時におけるチャンネル切換機能を有する映像音声出力装置に関する。
【背景技術】
【０００２】
民間のテレビ放送においては、或るチャンネルで放送中に随時コマーシャルが挿入されている。視聴者の中には、コマーシャルについては視聴を希望しない人も存在している。このような視聴者は、或るチャンネルの放送を視聴中にコマーシャルが放送されると、別の放送を視聴するためにリモコンを操作してチャンネルを切り換える。そして、視聴者は、或る時間を経過してコマーシャルが終了したものと判断すると、再びリモコンを操作して元のチャンネルに戻している。
【特許文献１】特開平１−２７７０７０号公報
【特許文献２】特開２００３−８７６６７号公報
【特許文献３】特開２００６−２７９４１９号公報
【発明の開示】
【発明が解決しようとする課題】
【０００３】
しかしながら、従来の映像音声出力装置では、視聴者の判断でリモコンを操作してチャンネルを切り換えるので、元のチャンネルでは、未だコマーシャルを放送中であったり、既にコマーシャルが終了して番組の本編が再開されていて、番組の開始部分を見逃したりする場合もあると言う課題があった。
【０００４】
そこで、特許文献１の従来技術では、コマーシャル放送などが入り、視聴者がリモコンで指令するとタイマにより時間が計測され、また同時にチューナ制御回路により受信チャンネルが切り換えられ、そして、タイマによる一定時間経過後に自動的に元の受信状態に戻るようにしている。しかし、この従来技術は、タイマによる一定時間経過後に自動的に元の受信状態に戻るようにしているが、元のチャンネルに戻す時間をユーザ操作で設定することができないので、元のチャンネルに戻っても、未だコマーシャルを放送中であったり、既にコマーシャルが終了して番組の本編が再開されていて、番組の開始部分を見逃したりする場合もあると言う課題が生じる。
【０００５】
また、特許文献２の従来技術では、或るチャンネルを視聴中にコマーシャルが放送され、他のチャンネルに移動した場合、元のチャンネルでコマーシャルが放送されていると想定される時間を設定しておき、タイマで移動後の計測時間を計測し、一定時間経過後に元のチャンネルに戻るようにしている。しかし、この従来技術は、タイマの時間設定の方法については具体的に開示されていなく、また、元のチャンネルに戻す時間をユーザ操作で設定することができないので、元のチャンネルに戻っても、未だコマーシャルを放送中であったり、既にコマーシャルが終了して番組の本編が再開されていて、番組の開始部分を見逃したりすると言う前記課題を解決できるものではない。
【０００６】
また、特許文献３の従来技術では、コマーシャル放送でチャンネルを切り換えた後、取得した番組情報に含まれるＣＭ情報を読み出し、現在の時刻がＣＭ情報終了時刻に到達すると、元の視聴番組のチャンネルに切り換えるようにしている。しかし、この従来技術は、デジタル放送においては番組情報に含まれるＣＭ情報を用いているチャンネルの切り換えを行っているが、アナログ放送では、ＣＭ情報がないので、そのようなチャンネルの切り換えを行うことができない。
【０００７】
そこで、アナログ放送においては、２個のチューナを用い、一方のチューナで選局した番組を視聴しているときに、コマーシャルが入れば、他方のチューナで選局した他の番組を視聴し、一方のチューナで受信している音声信号の状態（ステレオからモノラル、または音声信号のレベルの変化）を検出して、コマーシャルが無くなれば、他方のチューナで受信している番組から一方のチューナで受信している番組に切り換えるようにしているが、チューナが２個必要であり、チューナが１個しか備えていない映像音声出力装置には適用できない。
【０００８】
要するに、特許文献３の従来技術は、アナログ放送においてはアナログ用のチューナが２個必要となり、チューナが１個のものでは、視聴している番組にコマーシャルが入って、他のチャンネルの番組に切り換えた後、そのコマーシャルが終っても自動的に元のチャンネルに戻すことができないと言う課題が生じる。
【０００９】
なお、従来の映像音声出力装置としては、ディスプレイ装置にメニュー画面を表示させ、そのメニュー画面でチャンネルの戻し時間を設定させるようにしたものも有るが、このような場合、チャンネルの戻し時間を設定するのに一々メニュー画面を表示させ、チャンネルの戻し時間を設定しなければならないので、チャンネルの戻し時間を簡単に変えることができないと言う課題が生じる。
【００１０】
本発明は、上記のような課題を解決するためになされたもので、コマーシャルの視聴を避けるため切り換えられた別のチャンネルから元のチャンネルに戻す時間をユーザ操作で設定することができるようにし、その時間が経過したときに元のチャンネルに自動的に戻すことができる映像音声出力装置を提供することを目的とする。
【課題を解決するための手段】
【００１１】
上記目的を達成するために、請求項１の発明は、テレビ放送信号を受信して選局されたチャンネルのテレビ番組の映像音声信号を出力するチューナと、前記チューナから出力された映像音声信号を復調して映像信号および音声信号を出力する信号処理部とを備えると共に、リモコンにより操作可能な映像音声出力装置において、現在視聴中のテレビ番組にコマーシャルが入ったときに、一時的に別のチャンネルに切り換え、所定時間経過後に元のチャンネルに戻す処理を実行させる場合に、現在設定されているチャンネルを示すリモコンのチャンネルキーまたはリモコンに設けられたチャンネル切換専用キーが押下されたか否かを判定するキー押下判定手段と、前記現在設定されているチャンネルを示すリモコンのチャンネルキーまたは前記チャンネル切換専用キーが押下されたと判定されたとき、タイマのカウントダウンが実行中であるか否かを判定するタイマ動作判定手段と、前記タイマのカウントダウンが実行中でないと判定されたとき、現在設定されているチャンネルの番号をメモリに記憶させるチャンネル番号記憶手段と、前記現在設定されているチャンネルの番号がメモリに記憶された後、タイマのカウント値を所定の単位時間に設定するカウンタ値設定手段と、前記カウント値が所定の単位時間に設定された後、前記タイマをカウントダウンさせるカウント制御手段と、前記タイマのカウントダウンが実行中であると判定されたとき、前記カウントダウンされているカウント値に所定の単位時間を追加させるカウント値追加手段と、前記カウントダウンによりカウント値が０になったことを検出したとき、別のチャンネルに切り換えられている場合に、前記チューナを制御して前記メモリに記憶されている前記現在設定されているチャンネルの番号に対応する元のチャンネルに戻すチャンネル戻し手段と、を備えたことを特徴とする映像音声出力装置を提供する。
【００１２】
この構成においては、現在視聴中のテレビ番組にコマーシャルが入ったときに、現在設定されているチャンネルを示すリモコンのチャンネルキーまたはリモコンに設けられたチャンネル切換専用キーが押下されたと判定されると、タイマのカウントダウンが実行中であるか否かが判定される。前記タイマのカウントダウンが実行中でないと判定されたとき、現在設定されているチャンネルの番号がメモリに記憶される。前記現在設定されているチャンネルの番号がメモリに記憶された後、タイマのカウント値が所定の単位時間に設定され、前記タイマがカウントダウンされる。一方、前記タイマのカウントダウンが実行中であると判定されたときは、前記カウントダウンされているカウント値に所定の単位時間が追加され、カウント値がカウントダウンされる。そのようなカウントダウンによりカウント値が０になったことを検出したとき、別のチャンネルに切り換えられている場合には、チューナを制御して前記メモリに記憶されているチャンネルの番号に対応する元のチャンネルに戻される。
【００１３】
この構成によれば、コマーシャルの視聴を避けるため切り換えられた別のチャンネルから元のチャンネルに戻す時間をユーザ操作で設定することができ、その時間が経過したときに元のチャンネルに自動的に戻すことができるようにしたので、既にコマーシャルが終了して番組の本編が再開されていて、番組の開始部分を見逃したりするようなことがなくなる。また、アナログ放送とデジタル放送の両方に有効であり、アナログ放送であってもチューナを２個備える必要もないので、コスト的にもメリットが有る。
【００１４】
請求項２の発明では、請求項１の発明において、前記所定の単位時間とは、コマーシャルの単位時間であるので、コマーシャルの放送時間に応じてカウント値を設定すれば、元のチャンネルでコマーシャルが放送されている間は、別のチャンネルの番組を視聴でき、元のチャンネルに戻されることがない。
【００１５】
請求項３の発明では、請求項２の発明において、前記コマーシャルの単位時間は３０秒であるので、コマーシャルの放送時間が、３０秒、１分、１分３０秒、２分であっても、現在設定されているチャンネルを示すリモコンのチャンネルキー、またはチャンネル切換専用キーの押下回数により、チャンネル戻し時間を適切に設定できる。
【００１６】
請求項４の発明では、請求項１の発明において、前記カウントダウンされるカウント値を前記ディスプレイ装置に表示させるカウント値表示手段を備えたので、別のチャンネルの番組を視聴しているときに、後どの位の時間で元のチャンネルに戻るかを確かめることができる。
【発明の効果】
【００１７】
以上のように本発明によれば、コマーシャルの視聴を避けるため切り換えられた別のチャンネルから元のチャンネルに戻す時間をユーザ操作で設定することができ、その時間が経過したときに元のチャンネルに自動的に戻すことができるようにしたので、既にコマーシャルが終了して番組の本編が再開されていて、番組の開始部分を見逃したりするようなことがなくなる。また、アナログ放送とデジタル放送の両方に有効であり、アナログ放送であってもチューナを２個備える必要もないので、コスト的にもメリットが有る。
【発明を実施するための最良の形態】
【００１８】
以下、添付図面を参照しつつ、本発明の実施の形態について説明する。図１は本発明の第１，第２の実施形態に係る映像音声出力装置としてのテレビジョン受像機の構成を示すブロック図である。ここでは、映像音声出力装置としてテレビジョン受像機について説明するが、本実施形態の特徴とするチャンネル戻し機能は、テレビジョン受像機に限らず、チューナを備えテレビ番組を記録／再生できるハードディスクレコーダやＤＶＤレコーダなどの映像音声出力装置に設けても同様な効果が得られる。
【００１９】
図１において、テレビジョン受像機は、アンテナ１を介してテレビ放送信号を受信して選局したチャンネルのテレビ番組の映像音声信号を出力するチューナ２と、テレビジョン放送局から送信されてきた放送信号をアンテナ１で受信し選局して得られた映像音声信号を出力するチューナ２と、このチューナ２からの映像音声信号を復調すると共に映像信号と音声信号とに分離する信号処理部３と、この信号処理部３からの映像信号をディスプレイ装置５の表示用の映像信号に変換して出力する映像出力部４と、信号処理部３からの音声信号をスピーカ７で音声として出力できるように変換して出力する音声出力部６と、スピーカ７から出力される音声の音量を調整するための音量制御信号を音声出力部６に供給する電子ボリューム８と、ディスプレイ装置５に文字などを表示させるためのＯＳＤ（オン・スクリーン・ディスプレイ）処理を行うＯＳＤ部１６とを備えている。
【００２０】
また、テレビジョン受像機は、基本的な操作を行うための複数のキーを有する操作部１２と、リモコン１４または操作部１２からのチャンネル切換信号に応答してチューナ２を選局動作させるチューナ制御部９と、時間の計時を行うタイマ１０と、受像機全体を制御するシステムコントローラ１１と、リモコン１４から受光した赤外線の操作信号を電気信号の操作信号に変換してシステムコントローラ１１に入力する受光部１３と、システムコントローラ１１の処理に必要な情報を記憶するメモリ１５とを備えている。
【００２１】
システムコントローラ１１は、現在視聴中のテレビ番組にコマーシャルが入ったときに、一時的に別のチャンネルに切り換え、所定時間経過後に元のチャンネルに戻す処理を実行させる場合に、現在設定されているチャンネルを示すリモコン１４のチャンネルキーまたはリモコン１４に設けられたチャンネル切換専用キーが押下されたか否かを判定するキー押下判定手段と、前記現在設定されているチャンネルを示すリモコン１４のチャンネルキーまたはチャンネル切換専用キーが押下されたと判定されたとき、タイマ１０のカウントダウンが実行中であるか否かを判定するタイマ動作判定手段と、タイマ１０のカウントダウンが実行中でないと判定されたとき、現在設定されているチャンネルの番号をメモリ１５に記憶させるチャンネル番号記憶手段と、前記現在設定されているチャンネルの番号がメモリ１５に記憶された後、タイマ１０のカウント値を所定の単位時間（例えば３０秒）に設定するカウンタ値設定手段と、前記カウント値が所定の単位時間（例えば３０秒）に設定された後、タイマ１０をカウントダウンさせるカウント制御手段と、タイマ１０のカウントダウンが実行中であると判定されたとき、前記カウントダウンされているカウント値に所定の単位時間（例えば３０秒）を追加させるカウント値追加手段と、前記カウントダウンされるカウント値をディスプレイ装置５に表示させるカウント値表示手段とを備えている。
【００２２】
図２は第１の実施形態においてリモコンのキー配置の一例を示す図である。図２において、リモコン１１の操作パネル２００には、ＴＶ電源キー２１１、入力切換キー２１２、音量キー２１３、１２個のチャンネルキー２１４、画面サイズキー２１５、音声切換キー２１６、上方向キー２１７、下方向キー２１８、左方向キー２１９、右方向キー２２０、決定キー２２１、オンタイマキー２２２、オフタイマキー２２３などが配置されている。なお、ここでのキーの配置、キーの種類、およびキーの個数は一例であるので、これに限ることはない。
【００２３】
図３は第１の実施形態においてチャンネル戻し機能の処理を説明するためのフローチャートである。このフローチャートおよび図１、図２を参照してチャンネル戻し機能の処理について説明する。
【００２４】
先ず、リモコン１４のＴＶ電源キー２１１が押下されることにより、このテレビジョン受像機に電源が投入された後、チューナ２により選局されている例えば４チャンネルのテレビ番組がディスプレイ装置５に表示され、また、そのテレビ番組の音声がスピーカ７から出力されていると仮定する。ここで、リモコン１５のチャンネルキー２１４のうち何れかのチャンネルキー（ＣＨキー）が押下されると、システムコントローラ１１のキー押下判定手段は、チャンネルキーが押下されたことを検知し（ステップＳ１）、その押下されたチャンネルキーが現在設定されているチャンネルを示すリモコン１４のチャンネルキー（この例の場合、チャンネルキー「４」）であるか否かを判定する（ステップＳ２）。
【００２５】
前記押下されたチャンネルキーが現在設定されているチャンネルを示すリモコン１４のチャンネルキー（この例の場合、チャンネルキー「４」）でないと判定されたときは、今まで通り、押下されたチャンネルキーに対応する別のチャンネルに切り換えられるが（ステップＳ４）、押下されたチャンネルキーが現在設定されているチャンネルを示すリモコン１４のチャンネルキー（この例の場合、チャンネルキー「４」）であると判定されたときは、システムコントローラ１１のタイマ動作判定手段は、タイマ１０のカウントダウンが実行中であるか否かを判定する（ステップＳ３）。
【００２６】
タイマ１０のカウントダウンが実行中でないと判定されたときは、システムコントローラ１１のチャンネル番号記憶手段は、現在設定されているチャンネルの番号をメモリ１５に記憶させる（ステップＳ６）。この例の場合、４チャンネルの番組を視聴中に初めてチャンネルキー「４」が押下されたことになるので、チャンネル番号記憶手段は、４チャンネルを示すチャンネル番号をメモリ１５に記憶させる。次に、システムコントローラ１１のカウント値設定手段は、タイマ１０のカウント値を３０秒に設定する（ステップＳ７）。
【００２７】
前記３０は、コマーシャルが放送される最小の時間である単位時間を示し、現状ではコマーシャルの単位時間が３０秒である。したがって、現在設定されているチャンネルを示すリモコン１４のチャンネルキーが押下されると、カウント値が３０秒に設定され、更に、そのチャンネルキーが押下されると、３０秒に設定されたカウント値がカウントダウンされている状態で、３０秒がカウント値に追加される。即ち、タイマ１０のカウントダウンが実行中であると判定されたとき（ステップＳ３）、システムコントローラ１１のカウント値追加手段は、現在のカウント値に３０秒を追加する（ステップＳ５）。
【００２８】
ステップＳ７またはステップＳ５の処理の後、システムコントローラ１１のカウント制御手段は、タイマ１０に設定されたカウント値をカウントダウンさせる（ステップＳ８）。例えば、カウント値が３０秒に設定されている場合、「０：００：３０」「０：００：２９」「０：００：２８」「０：００：２７」「０：００：２６」「０：００：２５」・・・と言うようにカウントダウンさせる。システムコントローラ１１のカウント値表示手段は、前記カウントダウンされるカウント値を、ＯＳＤ部１６を介してディスプレイ装置５に表示させる（ステップＳ９）。
【００２９】
そして、システムコントローラ１１のチャンネル戻し手段は、前記カウントダウンによりカウント値が０になったことを検出したとき（ステップＳ１０）、即ち「０：００：００」になったことを検出したとき、別のチャンネルに切り換えられていたか否かを判定する（ステップＳ１１）。例えば、４チャンネルの番組を視聴しているときに、コマーシャルが入ったので、リモコン１４のチャンネルキー「４」を押下した後、例えば、チャンネルキー「６」を押下して６チャンネルに切り換えていた場合には、ステップＳ１１においては、別のチャンネルに切り換えられていると判定されるので、チャンネル戻し手段は、前記カウントダウンによりカウント値が０になったことを検出したとき（ステップＳ１０）、チューナ制御部９を介してチューナ２の選局状態を元のチャンネルである４チャンネルに戻す（ステップＳ１２）。但し、「０：００：００」になったことを検出したとき、別のチャンネルに切り換えられていないと判定されたときは（ステップＳ１１）、当然のことであるが、元のチャンネルである４チャンネルのままである（ステップＳ１３）。
【００３０】
以上説明したように第１の実施形態によれば、コマーシャルの視聴を避けるため切り換えられた別のチャンネルから元のチャンネルに戻す時間をリモコン１４のチャンネルキー２１４の操作で設定することができるようになり、その時間が経過したときに元のチャンネルに自動的に戻すことができるようになるので、既にコマーシャルが終了して番組の本編が再開されていて、番組の開始部分を見逃したりするようなことがなくなる。また、アナログ放送とデジタル放送の両方に有効であり、アナログ放送であってもチューナを２個備える必要もないので、コスト的にもメリットが有る。
【００３１】
図４は第２の実施形態においてリモコンのキー配置の一例を示す図である。図４において、リモコン１１の操作パネル２００には、ＴＶ電源キー２１１、入力切換キー２１２、音量キー２１３、１２個のチャンネルキー２１４、画面サイズキー２１５、音声切換キー２１６、上方向キー２１７、下方向キー２１８、左方向キー２１９、右方向キー２２０、決定キー２２１、オンタイマキー２２２、オフタイマキー２２３、ＣＭ時のチャンネル切換専用キー２２４などが配置されている。なお、ここでのキーの配置、キーの種類、およびキーの個数は一例であるので、これに限ることはない。
【００３２】
図５は第２の実施形態においてチャンネル戻し機能の処理を説明するためのフローチャートである。このフローチャートおよび図１、図４を参照してチャンネル戻し機能の処理について説明する。
【００３３】
先ず、このテレビジョン受像機に電源が投入された後、チューナ２により選局されている４チャンネルのテレビ番組がディスプレイ装置５に表示され、また、そのテレビ番組の音声がスピーカ７から出力されていると仮定する。ここで、リモコン１５のチャンネル切換専用キー２２４またはチャンネルキー２１４のうち何れかのチャンネルキー（ＣＨキー）が押下されると、システムコントローラ１１のキー押下判定手段は、チャンネル切換専用キー２２４またはチャンネルキーが押下されたことを検知し（ステップＮ１）、その押下されたキーがチャンネル切換専用キー２２４であるか否かを判定する（ステップＮ２）。
【００３４】
前記押下されたキーがチャンネル切換専用キー２２４でなく、現在設定されているチャンネルとは別のチャンネルのチャンネルキーであると判定されたときは、今まで通り、押下されたチャンネルキーに対応する別のチャンネルに切り換えられるが（ステップＮ４）、押下されたキーがチャンネル切換専用キー２２４であると判定されたときは、システムコントローラ１１のタイマ動作判定手段は、タイマ１０のカウントダウンが実行中であるか否かを判定する（ステップＮ３）。
【００３５】
タイマ１０のカウントダウンが実行中でないと判定されたとき、システムコントローラ１１のチャンネル番号記憶手段は、現在設定されているチャンネルの番号をメモリ１５に記憶させる（ステップＮ６）。この例の場合、チャンネル番号記憶手段は、４チャンネルを示すチャンネル番号をメモリ１５に記憶させる。次に、システムコントローラ１１のカウント値設定手段は、タイマ１０のカウント値を３０秒に設定する（ステップＮ７）。
【００３６】
前記３０は、コマーシャルが放送される最小の時間である単位時間を示し、現状ではコマーシャルの単位時間が３０秒である。したがって、チャンネル切換専用キー２２４が押下されると、カウント値が３０秒に設定され、更にチャンネル切換専用キー２２４が押下されると、３０秒に設定されたカウント値がカウントダウンされている状態で、３０秒がカウント値に追加される。即ち、タイマ１０のカウントダウンが実行中であると判定されたとき（ステップＮ３）、システムコントローラ１１のカウント値追加手段は、現在のカウント値に３０秒を追加する（ステップＮ５）。
【００３７】
ステップＮ７またはステップＮ５の処理の後、システムコントローラ１１のカウント制御手段は、タイマ１０に設定されたカウント値をカウントダウンさせる（ステップＮ８）。例えば、カウント値が３０秒に設定されている場合、「０：００：３０」「０：００：２９」「０：００：２８」「０：００：２７」「０：００：２６」「０：００：２５」・・・と言うようにカウントダウンさせる。システムコントローラ１１のカウント値表示手段は、前記カウントダウンされるカウント値を、ＯＳＤ部１６を介してディスプレイ装置５に表示させる（ステップＮ９）。
【００３８】
そして、システムコントローラ１１のチャンネル戻し手段は、前記カウントダウンによりカウント値が０になったことを検出したとき（ステップＮ１０）、即ち「０：００：００」になったことを検出したとき、別のチャンネルに切り換えられていたか否かを判定する（ステップＮ１１）。例えば、４チャンネルのテレビ番組を視聴しているときに、コマーシャルが入ったので、リモコン１４のチャンネルキー「４」を押下した後、例えば、チャンネルキー「６」を押下して６チャンネルに切り換えていた場合には、ステップＮ１１においては、別のチャンネルに切り換えられていると判定されるので、チャンネル戻し手段は、前記カウントダウンによりカウント値が０になったことを検出したとき（ステップＮ１０）、チューナ制御部９を介してチューナ２の選局状態を元のチャンネルである４チャンネルに戻す（ステップＮ１２）。但し、「０：００：００」になったことを検出したとき、別のチャンネルに切り換えられていないと判定されたときは（ステップＮ１１）、当然のことであるが、元のチャンネルである４チャンネルのままである（ステップＮ１３）。
【００３９】
以上説明したように第２の実施形態によれば、コマーシャルの視聴を避けるため切り換えられた別のチャンネルから元のチャンネルに戻す時間をリモコン１４のチャンネル切換専用キー２２４の操作で設定することができるようになり、その時間が経過したときに元のチャンネルに自動的に戻すことができるようになるので、既にコマーシャルが終了して番組の本編が再開されていて、番組の開始部分を見逃したりするようなことがなくなる。また、アナログ放送とデジタル放送の両方に有効であり、アナログ放送であってもチューナを２個備える必要もないので、コスト的にもメリットが有る。
【産業上の利用可能性】
【００４０】
本発明は、テレビジョン受像機、あるいはチューナを備えテレビ番組を記録／再生できるハードディスクレコーダやＤＶＤレコーダなどの映像音声出力装置におけるチャンネル切換機能に利用可能である。
【図面の簡単な説明】
【００４１】
【図１】本発明の第１，第２の実施形態に係る映像音声出力装置としてのテレビジョン受像機の構成を示すブロック図である。
【図２】第１の実施形態においてリモコンのキー配置の一例を示す図である。
【図３】第１の実施形態においてチャンネル戻し機能の処理を説明するためのフローチャートである。
【図４】第２の実施形態においてリモコンのキー配置の一例を示す図である。
【図５】第２の実施形態においてチャンネル戻し機能の処理を説明するためのフローチャートである。
【符号の説明】
【００４２】
２    チューナ
３    信号処理部
５    ディスプレイ装置
１０    タイマ
１１    システムコントローラ（キー押下判定手段、タイマ動作判定手段、チャンネル番号記憶手段、カウント値設定手段、カウント値追加手段、カウント制御手段、チャンネル戻し手段、カウント値表示手段）
１４    リモコン
１５    メモリ
２１４    チャンネルキー
２２４    チャンネル切換専用キー
【図１】
2008301397.tif 000003
【図２】
2008301397.tif 000004
【図３】
2008301397.tif 000005
【図４】
2008301397.tif 000006
【図５】
2008301397.tif 000007